(57)【要約】本発明は、中心に強磁性ハブ（Ｈ）を有する少なくとも１つの読込み可能及び／又は書込み可能なデータディスク（Ｄ）に対する格納容器に係る。該容器は、ディスクを収容する面（２）を有する少なくとも１つのパネル（１）を有する。該面は、面に近接して前出のディスクを保持するようディスクハブの位置合わせができる位置において磁性材料（４）を有する。面（２）は、磁性材料（４）の周囲に位置付けられたセンタリング部材（３）を案内することを有し、該面に近接する格納位置にある際に少なくとも部分的にディスク（Ｄ）を囲むようにする。本発明は、ディスクを損傷するリスクの低いディスクの便利な格納及び取外しを可能にする。
2007532429.tif 000002
【特許請求の範囲】
【請求項１】
中心に強磁性ハブを有する少なくとも１つの読込み可能及び／又は書込み可能なデータディスクに対する格納容器であって、
前記容器は、前記ディスクを収容する少なくとも１つの面を有し、前記面は、前記ディスクを前記面に近接して保持するよう前記ディスクの前記ハブの位置合わせが可能である位置において磁性材料を有する、
格納容器。
【請求項２】
前記面は、前記磁性材料と一直線上にある位置に向かって前記ディスクを案内するよう突出する案内手段を有する、
請求項１記載の格納容器。
【請求項３】
前記案内手段は、前記面に近接する格納された位置にある際に少なくとも部分的に前記ディスクを取り囲むよう前記磁性材料の周囲に位置付けられたセンタリング部材を有する、
請求項２記載の格納容器。
【請求項４】
前記センタリング部材は、前記面上の周辺壁によって形成される、
請求項３記載の格納容器。
【請求項５】
前記周辺壁は、遮断される、
請求項４記載の格納容器。
【請求項６】
前記磁性材料は、前記面の上方に少なくとも部分的に突出する、
請求項１乃至５のうちいずれか一項記載の格納容器。
【請求項７】
前記面は、略平らなパネル上に形成される、
請求項１乃至６のうちいずれか一項記載の格納容器。
【請求項８】
複数の面を有し、前記面の各々が少なくとも１つのディスクを格納する、
請求項１乃至７のうちいずれか一項記載の格納容器。
【請求項９】
可動式に結合される複数のパネルを有する、
請求項６及び８記載の格納容器。
【請求項１０】
前記パネルは、実質的に共通軸の周囲にピボット式に結合される、
請求項９記載の格納容器。
【請求項１１】
前記磁性材料は、磁石を有する、
請求項１乃至１０のうちいずれか一項記載の格納容器。
【発明の詳細な説明】
【技術分野】
【０００１】
本発明は、中心に強磁性ハブを有する読込み可能及び／又は書込み可能な少なくとも１つのデータディスクに対するディスク格納容器に係る。
【背景技術】
【０００２】
中心に強磁性ハブを有するディスクは、例えば、ブルーレーザベースの光ディスクである。これらのディスクは、一般的には、ディスクを損傷から保護するようカートリッジにおいて収容される。しかしながら、かかるディスクに対する保護コーティングにおける近年の進歩により、引っかき傷及び指紋に対する非常に優れた抵抗性が得られ得るようになっている。従って、カートリッジは廃れるようになり裸のディスクが使用される、ことは予想される。
【０００３】
他には、カートリッジ無しで使用され得る約５０ｍｍの直径を有するディスクを作るディスクの標準化における進歩がある。かかるディスクは、カートリッジ無しで使用されるよう十分に強い。
【０００４】
かかる裸のディスクをディスク格納容器において格納することの１つの可能な選択肢は、ディスクを収容し少なくとも部分的にはそれを覆うよう、複数のオープンスリーブを有する容器を有する、ことである。かかるディスク格納容器の一例は、特開２００３−２３７８６９Ａ号広報（特許文献１）において開示される。しかしながら、ディスクをスリーブへと挿入し且つ再度それを取り出すことは、非常に便利ではない。
【特許文献１】特開２００３−２３７８６９Ａ号広報
【発明の開示】
【発明が解決しようとする課題】
【０００５】
本発明は、ディスク格納容器を与え、格納位置からのディスクの容易なアクセス及び取外しを可能にする、ことを目的とする。
【課題を解決するための手段】
【０００６】
このため、本発明は、その中心に強磁性ハブを有する読込み可能及び／又は書込み可能な少なくとも１つのデータディスクに対する格納容器を与える。当該容器は、ディスクを収容する少なくとも１つの面を有し、該面は、該面に近接してディスクを保持するようディスクのハブの位置合わせを可能にする位置において磁性部材を有する。
【０００７】
面の磁力により、必要なことは、ディスクを格納するよう面上にディスクを置くこと、並びに、容器において格納位置から再度ディスクを取り出すようディスクをつかむこと、のみである。これは、ユーザにとっては非常に使用し易い。ディスクが面に対してひきつけられる磁力は、設計によって制御され得、また、信頼性高くディスクを保持するよう十分に大きく、また、ディスク上に力を及ぼすことなくディスクを取り外すことができるよう十分に小さく作られ得る。ディスク上に及ぼされる力は、コーティング上に大きすぎる負荷を与えるディスクの変形、及び媒体の劣化を引き起こし得る。
【０００８】
請求項２記載の案内手段により、面上の磁性材料と一直線上にディスクの強磁性ハブを動かすことは非常に容易である。案内手段が請求項３に従ったセンタリング部材を有する場合は、ディスクの同一の場所が常に得られることが容易にされる。
【０００９】
請求項４及び５によれば、センタリング部材は、ディスクの周辺に対するアクセスを得るよう遮断され得る面上の周辺壁によって形成される。これによって、ディスクをその端部をつかむことによって取り外すことが可能となる。
【００１０】
請求項６記載の実施例は、面の上方に少なくとも部分的に突出する磁石上の格納位置にディスクがある際、ディスクは面と接触しない、という利点を有する。このことは、ディスクに対する損傷のリスクを低減する。
【００１１】
非常に小型の構造は、請求項７の実施例において、特に略平らなパネルが両面上にディスク格納面を有する場合に得られる。
【００１２】
格納容器の考えられ得る一実施例は、請求項９に記載される。この格納容器によって、ユーザは複数のディスクを持ち運ぶことができ、携帯電話、ディスクプレーヤ、ＰＤＡ、又は同様のもの等のディスクドライブを有する装置をユーザが持ち運ぶ携帯用途に対してディスクが使用される際に、特に便利である。
【発明を実施するための最良の形態】
【００１３】
本発明は、図面を参照してより詳細に説明される。
【００１４】
図１は、格納容器、及び、特には光ディスクである音響、映像、又はデータディスクであり得るディスクＤを示す。ディスクは、いかなる寸法も有し得るが、本発明は、制限的ではないが特に、例えば５０ｍｍより小さい直径を有するディスクに対して適している。光ディスクＤは、強磁性材料を有して作られた中心ハブＨを有する。ディスクＤが使用されるディスクドライブは、ディスクをディスクドライブに固定するよう磁性スピンドルを有する。ハブＨの周囲には、データ用の空間がある。データは、ディスクＤの一面又は両面上から読み取られ得るか、又はそこに書き込まれ得る。
【００１５】
この実施例においては、格納容器は、ディスクＤを保持するよう少なくとも１つの面２を有する複数のパネル１を有する。この面２は、パネル１の一面上に与えられ得るが、パネル１が両面上に面２を有することも大いに考えられる。面２は、ディスクＤの正しい位置を容易にするようディスクに対する案内手段及び／又はセンタリング手段としての役割を果たす周辺壁３を作るよう、パネル１において埋め込まれ得る。面２の中心において、面２に対して取り付けられた磁石の形状における磁性材料４、あるいは、パネル１上に与えられた又はパネル１に一体化された磁性材料（磁性高分子複合材料等）が与えられる。磁性材料４は、ディスクＤのハブＨと略同等の大きさの範囲において与えられ得るが、何らかの理由で該磁性材料は、ディスクハブＨがそれと共に位置合わせされ得る限り、より小さな又はより大きな範囲において存在し得る。
【００１６】
磁性材料４は、面２と同一平面である上方面を有し得るが、下方レベルにおいても位置付けられ得るか又は面２から突出し得る。下方レベルの実施例では、ハブＨと磁性材料４との間に直接接触はなく、ハブＨ上の引力を減少させる。これは、ディスクＤを取り外す非常に低い力に繋がる。後者の実施例では、磁性材料４は、面２から突出し得、従って面２から自由となるディスクＤに対する支持を作り出す。全ての場合において、ディスクＤは、その格納位置において面２に対して近接する。
【００１７】
周辺壁３は、ディスクＤを取り外すよう指で掴み得るグリップ範囲を作るよう、遮断され得る。周辺壁３における遮断は、小さく且つディスクＤを掴むよう十分であり得るが、非常に小さい壁部分が存在するよう大きくてもよい。これらの壁部分は、非常に小さく、磁性材料４の周囲に与えられるパネル１の面２上のピン又はカムであり得る。格納される位置において、ディスクＤは、センタリング手段／案内手段に対して又はそれらの上に置かれ得るか、あるいは、小さな遊びによってそこから離れ得る。
【００１８】
図示された実施例において、パネル１は、互いに対してピボット式に接続され、パネル１は、パネルを介して出ることができるよう共通軸の周囲で回転され得る。当然のことながら他の配置は考えられ得る。例えば、パネル１は、ジグザグ構造において接続され得る。これらの実施例において、一方のパネル１は、他方のパネルのカバーを形成する。外側のパネルは、容器の閉じられた位置において見られる通り、ディスクＤを保持しない外側の面を有し、全ての格納されたディスクは、容器内にあり、従って容器によって保護される。
【００１９】
図２乃至図４は、本発明に従った容器の複数の他の実施例を示す。図２中、パネル１は、４つの面２を有し、各面がディスクＤを保持するよう意図される。図３中、面２は、ディスクＤを面２に対して案内するよう案内手段及びセンタリング手段としての役割を果たす面の周囲のピン、カム、又は他の突起５の間で定義付けられ、ハブＨが磁性材料４と位置合わせされ得るようにし得る。磁性材料４は、この場合は、矩形を有する。図４は、回転装置型容器を図示する。円形パネル１は、パネルの中心軸の周囲に与えられた複数の面２を有する。パネル１は、ディスクＤが面２のうちの１つの上に置かれ得るかあるいはそこから取り出され得るよう、１つ又はそれ以上の開口を有する筐体（図示せず）において回転可能に収容され得る。
【００２０】
上述された説明より、本発明は使用が非常に容易であり且つディスクに対して最大限の保護を与えるディスク格納容器を与える、ことが明確である。
【００２１】
本発明は、図示された上述の実施例に制限されず、本発明の範囲から逸脱することなく複数の手法において変化され得る。図示される通り、例えば、格納容器のパネルが複数のディスクを保持するために複数の面を有するよう十分に大きいことは、可能である。その場合、与えられた磁性材料を有し、ディスクはパネル上の異なる位置において保持される。センタリング手段は、パネル上の夫々の位置に対してディスクを案内し得る。
【００２２】
明細書及び請求項中、単数形の使用は複数の存在を除外するものではなく、「有する」という表現は追加的な要素又は段階を除外するものではない。請求項中の参照符号は、その範囲を制限するものとして解釈されるべきではない。
【００２３】
現在望ましい実施例では、ディスクは、光データディスクである。しかしながら、本発明が他の全ての種類のディスクに対しても使用され得る、ことは理解されるべきである。
【図面の簡単な説明】
【００２４】
【図１】本発明に従ったディスク格納容器の一実施例を概略的な斜視図で示す。
【図２】他の実施例を概略的に示す。
【図３】他の実施例を概略的に示す。
【図４】他の実施例を概略的に示す。
【図１】
2007532429.tif 000003
【図２】
2007532429.tif 000004
【図３】
2007532429.tif 000005
【図４】
2007532429.tif 000006
【国際調査報告】
2007532429.tif 000007
2007532429.tif 000008
2007532429.tif 000009